(57)【要約】【課題】  利用者にとって適切な位置に情報を表示する【解決手段】  本発明の情報処理装置は、利用者の操作を検出する操作手段と、操作に関する情報である操作情報を表示する垂直方向に配置された複数の表示手段と、利用者の頭部の高さを検出する検出手段と、頭部の高さに対応する表示手段を選択し、選択した表示手段に操作情報を表示する制御手段とを含む。【選択図】  図１
2017174214.tif 000002
【特許請求の範囲】
【請求項１】
利用者の操作を検出する操作手段と、
前記操作に関する情報である操作情報を表示する垂直方向に配置された複数の表示手段と、
前記利用者の頭部の高さを検出する検出手段と、
前記頭部の高さに対応する前記表示手段を選択し、選択した前記表示手段に前記操作情報を表示する制御手段と
を含む情報処理装置。
【請求項２】
前記検出手段が、
前記頭部の高さとして前記利用者の目の高さを検出する
請求項１に記載の情報処理装置。
【請求項３】
前記制御手段が、
前記操作情報を表示しない前記表示手段の表示を停止する
請求項１又は２に記載の情報処理装置。
【請求項４】
前記検出手段が前記利用者を検出しない場合、
前記制御手段が、
前記表示手段に、前記操作情報とは異なる情報を表示する
請求項１ないし３のいずれか１項に記載の情報処理装置。
【請求項５】
前記表示手段における視野角を変更する視野角変更手段をさらに含み、
前記制御手段が、
前記視野角変更手段を用いて、前記操作情報を表示する場合における前記表示手段の前記視野角を、前記操作情報とは異なる情報を表示するときにおける前記視野角より狭くする
請求項４に記載の情報処理装置。
【請求項６】
前記操作が、通貨の預け入れ及び／又は払い出し関する前記操作である
請求項１ないし５のいずれか１項に記載の情報処理装置。
【請求項７】
利用者の操作を検出する操作手段と、
前記操作に関する情報である操作情報を表示する垂直方向に配置された複数の表示手段と、
前記利用者の頭部の高さを検出する検出手段と
を含む情報処理装置において、
前記頭部の高さに対応する前記表示手段を選択し、
選択した前記表示手段に前記操作情報を表示する
情報処理方法。
【請求項８】
利用者の操作を検出する操作手段と、
前記操作に関する情報である操作情報を表示する垂直方向に配置された複数の表示手段と、
前記利用者の頭部の高さを検出する検出手段と
を含むコンピュータにおいて、
前記頭部の高さに対応する前記表示手段を選択する処理と、
選択した前記表示手段に前記操作情報を表示する処理と
をコンピュータに実行させるプログラム。
【発明の詳細な説明】
【技術分野】
【０００１】
本発明は、情報の処理に関し、特に、情報を表示する情報処理装置、情報処理方法、及びプログラムに関する。
【背景技術】
【０００２】
現金自動支払機（ＣＤ：Cash Dispenser）及び現金自動預払機（ＡＴＭ：Automated Teller Machine）などの機器は、利用者にサービスを提供するため、各種の情報を表示する。
【０００３】
ただし、利用者の体形は、利用者毎に異なる。例えば、利用者の顔の位置は、利用者毎に異なる。さらに、顔の位置の範囲は、表示機器自体の高さ（縦幅）より大きい。そのため、例えば、平均的な身長の利用者における頭部（顔）の高さに適した位置に表示機器を設けた場合、その表示機器に表示された情報は、身長が高い利用者及び身長が低い利用者にとって見えにくい位置となる場合がある。つまり、利用者が利用する装置における表示機器は、少なくとも一部の利用者にとって適切な位置となっていない場合があった。
【０００４】
そこで、画像を表示する機器の位置又は方向を変更する装置が、提案されている（例えば、特許文献１を参照）。
【０００５】
特許文献１に記載の装置において、画像を表示するモニターは、ガイドレールに沿ってスライドが可能である。あるいは、モニターは、ヒンジ又は軸に沿って回転が可能である。
【先行技術文献】
【特許文献】
【０００６】
【特許文献１】特開２００６−２７２６１７号公報
【発明の概要】
【発明が解決しようとする課題】
【０００７】
しかし、特許文献１に記載の装置は、モニターが移動するためのガイドレール、ヒンジ、又は、軸が必要である。ガイドレールなどは、機械的にモニターを移動するための機構である。そのため、特許文献１に記載の装置において、摩耗などの劣化が、発生する。
【０００８】
つまり、特許文献１に記載の装置は、機械的な劣化が発生するという問題点があった。
【０００９】
また、特許文献１に記載の装置は、利用者が、モニターを、利用可能な位置に移動又は回転する必要がある。
【００１０】
つまり、特許文献１に記載の装置は、利用者が表示機器の位置を移動させるための操作が必要であるという問題点があった。
【００１１】
本発明の目的は、上記問題点を解決し、表示機器を機械的に移動させずに、利用者にとって適切な位置に情報を表示する情報処理装置、情報処理方法、及び、プログラムを提供することにある。
【課題を解決するための手段】
【００１２】
本発明の一形態における情報処理装置は、利用者の操作を検出する操作手段と、操作に関する情報である操作情報を表示する垂直方向に配置された複数の表示手段と、利用者の頭部の高さを検出する検出手段と、頭部の高さに対応する表示手段を選択し、選択した表示手段に操作情報を表示する制御手段とを含む。
【００１３】
本発明の一形態におけるデータ処理方法は、利用者の操作を検出する操作手段と、操作に関する情報である操作情報を表示する垂直方向に配置された複数の表示手段と、利用者の頭部の高さを検出する検出手段とを含む情報処理装置において、頭部の高さに対応する表示手段を選択し、選択した表示手段に操作情報を表示する。
【００１４】
本発明の一形態におけるプログラムは、利用者の操作を検出する操作手段と、操作に関する情報である操作情報を表示する垂直方向に配置された複数の表示手段と、利用者の頭部の高さを検出する検出手段とを含むコンピュータにおいて、頭部の高さに対応する表示手段を選択する処理と、選択した表示手段に操作情報を表示する処理とをコンピュータに実行させる。
【発明の効果】
【００１５】
本発明に基づけば、表示機器を機械的に移動させずに、利用者にとって適切な位置に情報を表示するとの効果を奏することができる。
【図面の簡単な説明】
【００１６】
【図１】図１は、本発明における第１の実施形態に係る情報処理装置の構成の一例を示すブロック図である。
【図２】図２は、第１の実施形態に係る情報処理装置の外観の一例を示す図である。
【図３】図３は、第１の実施形態に係る情報処理装置の別の外観の一例を示す図である。
【図４】図４は、第１の実施形態に係る情報処理装置の動作の一例を示すフローチャートである。
【図５】図５は、第１の実施形態に係る表示部２００の選択例を示す図である。
【図６】図６は、第３の実施形態に係る情報処理装置の構成の一例を示すブロック図である。
【図７】図７は、変形の一例である情報処理装置の構成の一例を示すブロック図である。
【発明を実施するための形態】
【００１７】
次に、本発明の実施形態について図面を参照して説明する。
【００１８】
各図面は、本発明の実施形態を説明するためのものである。ただし、本発明は、各図面の記載に限られるわけではない。また、各図面の同様の構成には、同じ番号を付し、その繰り返しの説明を、省略する場合がある。また、以下の説明に用いる図面において、本発明の説明に関係しない部分の構成については、記載を省略し、図示しない場合もある。
【００１９】
以下の説明において、本発明における実施形態に係る情報処理装置の一例として、ＡＴＭ（又はＣＤ）を用いて説明する。ただし、本発明における実施形態は、ＡＴＭ（及びＣＤ）に、限定されない。例えば、情報処理装置は、自動販売機でもよい。
【００２０】
また、以下の説明において、表示される情報は、通貨（現金）の払出し及び／又は預け入れの操作に関連する情報（操作情報）である。ただし、本発明における操作は、通貨に直接的に関する操作に限定されない。例えば、操作は、通帳の記入など、預金通貨に関する動作でもよい。
【００２１】
＜第１の実施形態＞
図面を参照して、本発明における第１の実施形態について説明する。
【００２２】
［構成の説明］
まず、第１の実施形態に係る情報処理装置１０の構成について説明する。
【００２３】
図１は、第１の実施形態に係る情報処理装置１０の構成の一例を示すブロック図である。
【００２４】
図１に示されているように、情報処理装置１０は、制御部１００と、複数の表示部２００と、検出部３００と、操作部４００とを含む。なお、図１は、３つの表示部２００を示している。ただし、これは、一例である。情報処理装置１０は、２つの表示部２００、又は、４つ以上の表示部２００を含んでもよい。
【００２５】
制御部１００は、後ほど詳細に説明する動作を基に、複数の表示部２００を用いて、利用者にとって適切な表示を実現する。
【００２６】
操作部４００は、利用者の操作を取得し、制御部１００に通知する。制御部１００は、この操作を基に、利用者に対して所定のサービス（通貨の払出し及び／又は預け入れ）を提供する。
【００２７】
表示部２００は、垂直方向（縦方向）に配置される。そして、表示部２００は、制御部１００の指示に基づいて、操作に関する情報（操作情報）を表示する。例えば、表示部２００は、通貨の払出し及び／又は預け入れの操作に関する情報（操作情報）を表示する。利用者は、表示部２００に表示された情報を基に、操作部４００を操作して、情報処理装置１０から、所望のサービスを受けることができる。
【００２８】
検出部３００は、利用者の位置に関する情報を検出する。具体的には、検出部３００は、利用者の頭部の高さを検出する。なお、検出部３００は、頭部の高さとして、床からの利用者の目までの高さを検出してもよい。目の高さを検出する場合、検出部３００は、帽子又は髪型などの影響を避けることができる。この検出において、検出部３００は、画像認識技術を用いてもよい。
【００２９】
なお、図１は、１つの検出部３００の場合を示している。しかし、情報処理装置１０は、例えば、次の説明において参照する図２に示されているように、複数の検出部３００を含んでもよい。複数の検出部３００を用いると、制御部１００は、位置（高さ）の検出の精度を向上できる。
【００３０】
図２は、情報処理装置１０の外観の一例を示す図である。
【００３１】
図２において、制御部１００は、情報処理装置１０の筐体内に設置され、外からは見えない。そのため、図２において、制御部１００は、破線を用いて示されている。
【００３２】
表示部２００は、縦の方向に並ぶように配置されている。この配置は、後ほど説明するように、利用者の頭部の高さに対応するためである。
【００３３】
なお、図２において、表示部２００は、横方向に１つとして示されている。しかし、情報処理装置１０は、表示部２００の配置として、図２の配置に限定されない。例えば、情報処理装置１０は、横方向に複数の表示部２００を配置してもよい。
【００３４】
図３は、第１の実施形態に係る情報処理装置１０の別の外観の一例を示す図である。
【００３５】
図３に示されているように、情報処理装置１０は、横方向に複数の表示部２００を配置してもよい。さらに、情報処理装置１０は、複数の操作部４００を含んでもよい。
【００３６】
図２を用いた説明に戻る。
【００３７】
図２において、検出部３００は、表示部２００を挟み込む位置に設けられている。これは、検出部３００が、検出精度の向上のため、表示部２００の表示を確認する利用者の頭部を複数の方向から検出するためである。ただし、検出部３００が、例えば、広視野角のカメラのような精度が高い検出器を含む場合、検出部３００は、１つでもよい。
【００３８】
［動作の説明］
次に、図面を参照して、情報処理装置１０の動作について、説明する。
【００３９】
（説明の前提）
以下の説明における前提は、次のとおりである。
【００４０】
表示部２００は、図２に示されているように、垂直方向（縦方向）に並ぶように配置されている。
【００４１】
制御部１００は、あらかじめ、各表示部２００の表示位置（高さ）を保持している。
【００４２】
検出部３００は、利用者を検出した場合、利用者の頭部の高さ（例えば、床から利用者の目までの高さ）を検出する。
【００４３】
（詳細な動作）
図４は、第１の実施形態に係る情報処理装置１０の動作の一例を示すフローチャートである。
【００４４】
利用者が近傍にいない場合、つまり、検出部３００が、利用者を検出しない場合、制御部１００は、表示部２００に一般的な情報を表示する（ステップＳ１００）。例えば、制御部１００は、表示部２００に、銀行の宣伝などの情報（宣伝用情報、サイネージ情報）を表示する。この場合、制御部１００は、各表示部２００に異なる情報を表示してもよい。あるいは、制御部１００は、複数の表示部２００を組み合わせて、情報を表示してもよい。
【００４５】
検出部３００は、利用者を検出すると、利用者の頭部の高さを計測する。そして、検出部３００は、利用者の頭部の高さを、制御部１００に通知する。つまり、制御部１００は、利用者の頭部の高さを取得する（ステップＳ１１０）。
【００４６】
制御部１００は、利用者の頭部の位置（高さ）に対応する表示部２００を選択する（ステップＳ１２０）。具体的には、制御部１００は、利用者の頭部の位置（高さ）に最も近い高さの表示部２００を選択する。
【００４７】
そして、制御部１００は、選択した表示部２００に、利用者の操作に関する情報（操作情報）を表示する（ステップＳ１３０）。例えば、制御部１００は、表示部２００に、利用するサービス（例えば、預け入れ、又は、払出し）に関する操作情報を表示する。
【００４８】
上記のとおり、情報処理装置１０は、複数の表示部２００を縦方向に配置している。そのため、情報処理装置１０は、上記の動作を基に、利用者にとって適切な位置の表示部２００に情報を表示することができる。
【００４９】
これ以降、制御部１００は、サービスが終了するまで、操作部４００が検出した操作に対応した情報を、選択した表示部２００に表示する。つまり、制御部１００は、サービスが終了するため、ステップＳ１３０の動作を繰り返す。
【００５０】
図５は、第１の実施形態に係る表示部２００の選択例を示す図である。図５は、情報処理装置１０の側面図に相当する。
【００５１】
図５の左側に示されているように、検出部３００が検出した利用者の頭部の位置が、最も下の位置の表示部２００の位置の場合、制御部１００は、最も下の表示部２００に、情報を表示する。また、図５の右側に表示されているように、検出部３００が検出した利用者の頭部の位置が、最も上の表示部２００の位置の場合、制御部１００は、最も上の表示部２００に、情報を表示する。
【００５２】
このように、情報処理装置１０は、利用者に適切な表示を実現するために、機械的な機構を必要としない。そのため、情報処理装置１０において、利用者に適切な表示を実現するために、機械的な劣化が、発生しない。
【００５３】
また、情報処理装置１０は、検出部３００を用いて、適切な位置の表示部２００に情報を表示することができる。そのため、情報処理装置１０は、利用者の操作を必要としない。
【００５４】
なお、選択された表示部２００の位置は、利用者の視認に適した位置である。ただし、その位置は、利用者が手などを用いて操作する位置としても適切な位置となる場合がある。そして、タッチパネルのように、表示部２００が、操作部４００を含んでいる場合がある。つまり、情報処理装置１０は、複数の操作部４００を含む場合がある。この場合、制御部１００は、選択した表示部２００と同じ位置の操作部４００を、操作用の入力機器として用いてよい。
【００５５】
また、利用者が誤操作した場合、制御部１００は、誤操作に対する表示を、選択した表示部２００に表示してもよい。あるいは、制御部１００は、操作の表示を残すため、誤操作に対する表示を、選択した表示部２００の上又は下の表示部２００に表示してもよい。つまり、制御部１００は、誤操作などの表示において、２つ以上の表示部２００を用いてもよい。
【００５６】
また、制御部１００は、検出された頭部の位置より低い位置の表示部２００を選択してもよい。頭部の位置は、利用者にとって見やすい位置である。しかし、頭部は、胸部などより狭い。そのため、頭部の位置における表示は、胸部の位置における表示より、後方から見える可能性が高い。そのため、制御部１００は、高いセキュリティが必要な情報に対しては、頭部に位置ではなく、胸部又は腹部の位置の表示部２００を選択してもよい。この場合、検出部３００が、胸部又は腹部の位置を検出してもよい。あるいは、制御部１００が、頭部の位置を基に、胸部又は腹部の位置を算出し、表示部２００を選択してもよい。
【００５７】
［効果の説明］
このように、本実施形態の係る情報処理装置１０は、表示部２００を機械的に移動せずに、利用者にとって適切な位置に情報を表示するとの効果を奏することができる。
【００５８】
その理由は、次のとおりである。
【００５９】
情報処理装置１０は、複数の表示部２００を含む。そして、検出部３００が、利用者の頭部の位置（高さ）を検出する。そして、制御部１００が、利用者の頭部の位置に対応する表示部２００を選択し、選択した表示部２００に情報を表示するためである。
【００６０】
＜第２の実施形態＞
次に、第２の実施形態に係る情報処理装置１０について説明する。
【００６１】
第２の実施形態に係る情報処理装置１０の構成は、第１の実施形態と同様のため、構成の説明を省略する。また、第２の実施形態に係る情報処理装置１０の動作は、以下で説明する動作を除き、第１の実施形態と同様のため、第１の実施形態と同様の動作の説明を省略する。
【００６２】
情報処理装置１０は、複数の表示部２００を含む。そのため、利用者は、いずれの表示部２００に表示されている情報が、操作情報であるかを判別しにくい可能性がある。
【００６３】
そこで、第２の実施形態に係る情報処理装置１０は、選択した表示部２００に操作情報を表示した場合、他の表示部２００の表示を停止する。なお、制御部１００は、操作情報を、１つに限らず複数の表示部２００に表示してもよい。その場合も、情報処理装置１０は、操作情報を表示していない表示部２００の表示を停止すればよい。
【００６４】
この動作を基に、第２の実施形態に係る情報処理装置１０は、利用者の利便性を向上する。
【００６５】
［効果の説明］
第２の実施形態に係る情報処理装置１０は、第１の実施形態の効果に加え、利用者の利便性を向上するとの効果を奏することができる。
【００６６】
その理由は、第２の実施形態に係る情報処理装置１０が、操作情報を表示していない表示部２００の表示を停止するためである。
【００６７】
さらに、第２の実施形態に係る情報処理装置１０は、消費電力を削減するとの効果を奏することができる。
【００６８】
その理由は、第２の実施形態に係る情報処理装置１０が、操作情報を表示していない表示部２００の表示を停止するためである。
【００６９】
＜第３の実施形態＞
次に、第３の実施形態に係る情報処理装置１１について説明する。
【００７０】
図６は、第３の実施形態に係る情報処理装置１１の構成の一例を示すブロック図である。
【００７１】
図６に示されているように、第３の実施形態に係る情報処理装置１１は、第１の実施形態に係る情報処理装置１０の構成に加え、視野角変更部５００を含む。そのため、第１の実施形態と同様の構成についての説明を省略し、視野角変更部５００について説明する。
【００７２】
視野角変更部５００は、表示部２００の表示を確認（視認）できる範囲（視野範囲、具体的には、視認できる範囲の角度）を変更する。つまり、視野角変更部５００は、制御部１００の制御に従って、表示部２００における視野角を変更する。視野角変更部５００は、例えば、電子的に視野角を変更する視野角制限フィルタである。
【００７３】
なお、視野角変更部５００が変更する視野角の方向は、特に制限されない。視野角変更部５００は、横方向の視野角を変更してもよい。あるいは、視野角変更部５００は、縦方向の視野角を変更してもよい。あるいは、視野角変更部５００は、縦方向及び横方向の視野角を変更してもよい。
【００７４】
制御部１００は、ステップＳ１００における一般的な情報を表示している場合、視野角変更部５００に、表示部２００おける視野角を広く（例えば、最大角）するように指示する。この結果、情報処理装置１１は、広い範囲に位置する利用者に対して、情報（例えば、サイネージ情報）を示すことができる。
【００７５】
一方、制御部１００は、ステップＳ１３０における操作情報を表示している場合、視野角変更部５００に、表示部２００おける視野角を狭くするように指示する。この結果、情報処理装置１１は、他の利用者からは見えないように、操作している利用者に対して情報を示すことができる。つまり、情報処理装置１１は、操作している利用者に関連する情報を保護することができる。
【００７６】
さらに、視野角変更部５００は、表示部２００に位置に対応して変更する視野角の範囲を変更してもよい。例えば、最も下の位置の表示部２００は、下からのぞき見される可能性が低い。同様に、最も上の位置の表示部２００は、上からのぞき見される可能性が低い。そこで、視野角変更部５００は、最も下の位置の表示部２００に対しては水平より上側の範囲の視野角を変更してもよい。あるいは、視野角変更部５００は、最も上の位置の表示部２００に対しては、水平より下の範囲の視野角を変更してもよい。
【００７７】
なお、制御部１００が、操作情報を表示していない表示部２００を停止する場合、制御部１００は、その表示部２００に対応している視野角変更部５００を停止してもよい。
【００７８】
［効果の説明］
第３の実施形態に係る情報処理装置１１は、第１の実施形態の効果に加え、利用者の情報を保護するとの効果を奏することができる。
【００７９】
その理由は、第３の実施形態に係る情報処理装置１１の視野角変更部５００が、他の者から見えないように、表示部２００に表示されている情報に対する視野角を設定するためである。
【００８０】
＜実施形態の概要＞
次に、本発明における実施形態の概要を、図１に示されている情報処理装置１０を用いて説明する。
【００８１】
情報処理装置１０は、制御部１００と、複数の表示部２００と、検出部３００と、操作部４００とを含む。
【００８２】
操作部４００は、利用者の操作を検出する。
【００８３】
複数の表示部２００は、垂直方向に配置され、操作に関する情報である操作情報を表示する。
【００８４】
検出部３００は、利用者の頭部の高さを検出する。
【００８５】
制御部１００は、頭部の高さに対応する表示部２００を選択し、選択した表示部２００に操作情報を表示する。
【００８６】
情報処理装置１０は、上記構成を基に、表示機器を機械的に移動せずに、利用者にとって適切な位置に情報を表示する。
【００８７】
なお、情報処理装置１０は、本発明における実施形態の最小構成である。
【００８８】
制御部１００は、制御手段と呼ばれてもよい。表示部２００は、表示手段と呼ばれてもよい。検出部３００は、検出手段と呼ばれてもよい。操作部４００は、操作手段と呼ばれてもよい。さらに、視野角変更部５００は、視野角変更手段と呼ばれてもよい。
【００８９】
＜変形例＞
上記で説明した情報処理装置１０及び情報処理装置１１の変形例について説明する。
【００９０】
上記で説明した情報処理装置１０及び情報処理装置１１は、次のように構成される。
【００９１】
例えば、情報処理装置１０及び情報処理装置１１において、各構成部は、ハードウェア回路を用いて構成されてもよい。
【００９２】
また、情報処理装置１０及び情報処理装置１１において、各構成部は、ネットワークを介して接続された複数の装置を用いて構成されてもよい。
【００９３】
また、情報処理装置１０及び情報処理装置１１において、一部又は全ての構成部は、１つのハードウェアを用いて構成されてもよい。
【００９４】
また、情報処理装置１０及び情報処理装置１１の制御部１００は、ＣＰＵ（Central Processing Unit）と、ＲＯＭ（Read Only Memory）と、ＲＡＭ（Random Access Memory）とを含むコンピュータ装置として実現されてもよい。制御部１００は、上記構成に加え、さらに、入出力接続回路（ＩＯＣ：Input / Output Circuit）と、ネットワークインターフェース回路（ＮＩＣ：Network Interface Circuit）とを含むコンピュータ装置として実現されてもよい。
【００９５】
図７は、変形の一例である情報処理装置６０の構成の一例を示すブロック図である。つまり、情報処理装置６０は、情報処理装置１０及び情報処理装置１１の変形例である。
【００９６】
情報処理装置６０は、情報処理部６００と、操作機器６６０と、複数台の表示機器６７０と、検出器６８０とを含む。情報処理装置６０は、さらに、視野角変更機器６８５を含んでもよい。
【００９７】
情報処理部６００は、ＣＰＵ６１０と、ＲＯＭ６２０と、ＲＡＭ６３０と、内部記憶装置６４０と、ＩＯＣ６５０と、ＮＩＣ６９０とを含み、コンピュータ装置を構成している。
【００９８】
ＣＰＵ６１０は、ＲＯＭ６２０からプログラムを読み込む。そして、ＣＰＵ６１０は、読み込んだプログラムに基づいて、ＲＡＭ６３０と、内部記憶装置６４０と、ＩＯＣ６５０と、ＮＩＣ６９０とを制御する。そして、ＣＰＵ６１０を含む情報処理部６００は、これらの構成を制御し、図１及び図６に示されている制御部１００としての各機能を実現する。
【００９９】
ＣＰＵ６１０は、各機能を実現する際に、ＲＡＭ６３０又は内部記憶装置６４０を、プログラムの一時記憶媒体として使用してもよい。
【０１００】
また、ＣＰＵ６１０は、コンピュータで読み取り可能にプログラムを記憶した記録媒体７００が含むプログラムを、図示しない記録媒体読み取り装置を用いて読み込んでもよい。なお、記録媒体７００は、不揮発性記録媒体である。
【０１０１】
あるいは、ＣＰＵ６１０は、ＮＩＣ６９０を介して、図示しない外部の装置からプログラムを受け取り、ＲＡＭ６３０に保存して、保存したプログラムを基に動作してもよい。なお、ＣＰＵ６１０は、受け取ったプログラムを、ＲＯＭ６２０又は内部記憶装置６４０に保存してもよい。
【０１０２】
ＲＯＭ６２０は、ＣＰＵ６１０が実行するプログラム及び固定的なデータを記憶する。ＲＯＭ６２０は、例えば、Ｐ−ＲＯＭ（Programmable-ROM）又はフラッシュＲＯＭである。
【０１０３】
ＲＡＭ６３０は、ＣＰＵ６１０が実行するプログラム及びデータを一時的に記憶する。ＲＡＭ６３０は、例えば、Ｄ−ＲＡＭ（Dynamic-RAM）である。
【０１０４】
内部記憶装置６４０は、情報処理部６００が長期的に保存するデータ及びプログラムを記憶する。また、内部記憶装置６４０は、ＣＰＵ６１０の一時記憶装置として動作してもよい。内部記憶装置６４０は、例えば、ハードディスク装置、光磁気ディスク装置、ＳＳＤ（Solid State Drive）又はディスクアレイ装置である。
【０１０５】
ここで、ＲＯＭ６２０と内部記憶装置６４０は、不揮発性（non-transitory）の記録媒体である。一方、ＲＡＭ６３０は、揮発性（transitory）の記録媒体である。そして、ＣＰＵ６１０は、ＲＯＭ６２０、内部記憶装置６４０、又は、ＲＡＭ６３０に記憶されているプログラムを基に動作が可能である。つまり、ＣＰＵ６１０は、不揮発性記録媒体又は揮発性記録媒体を用いて動作が可能である。
【０１０６】
ＩＯＣ６５０は、ＣＰＵ６１０と、操作機器６６０、表示機器６７０、及び、検出器６８０とのデータを仲介する。ＩＯＣ６５０は、例えば、ＩＯインターフェースカード又はＵＳＢ（Universal Serial Bus）カードである。さらに、ＩＯＣ６５０は、ＵＳＢのような有線に限らず、無線を用いてもよい。
【０１０７】
ＮＩＣ６９０は、ネットワークを介した図示しない外部の装置とのデータのやり取りを中継する。情報処理装置６０が、例えば、ＡＴＭの場合、ＮＩＣ６９０は、システムのメインコンピュータに接続する通信部である。ＮＩＣ６９０は、例えば、ＬＡＮ（Local Area Network）カードである。さらに、ＮＩＣ６９０は、有線に限らず、無線を用いてもよい。
【０１０８】
操作機器６６０は、情報処理装置６０の利用者からの操作指示を受け取る機器である。操作機器６６０は、操作部４００としての機能を実現する。操作機器６６０は、例えば、キーボード、マウス、又は、タッチパネルである。
【０１０９】
表示機器６７０は、情報処理装置６０の利用者に情報を表示する機器である。表示機器６７０は、表示部２００としての機能を実現する。表示機器６７０は、例えば、液晶ディスプレイである。
【０１１０】
検出器６８０は、情報処理装置６０の利用者の情報（例えば、頭部の高さ）を検出する。検出器６８０は、検出部３００としての機能を実現する。検出器６８０は、例えば、カメラ、又は、近接センサである。
【０１１１】
視野角変更機器６８５は、表示機器６７０の視野の範囲を変更する。視野角変更機器６８５は、視野角変更部５００としての機能を実現する。視野角変更機器６８５は、例えば、電子的に視野角を変更する視野角制限フィルタである。
【０１１２】
このように構成された情報処理装置６０は、情報処理装置１０及び情報処理装置１１と同様の効果を奏することができる。
【０１１３】
その理由は、情報処理装置６０のＣＰＵ６１０が、プログラムに基づいて、情報処理装置１０及び情報処理装置１１と同様の機能を実現できるためである。
【０１１４】
以上、実施形態を参照して本願発明を説明したが、本願発明は上記実施形態に限定されるものではない。本願発明の構成及び詳細には、本願発明のスコープ内で当業者が理解し得る様々な変更をすることができる。
【産業上の利用可能性】
【０１１５】
本発明は、金融機関などで使用される、通貨などの有価物を取り扱う現金自動預払機（ＡＴＭ）、現金自動支払機（ＣＤ）、金庫、及び、貴重品保管庫に利用可能である。
【０１１６】
また、本発明は、利用者が支払った代金に対して、商品及び／又は釣銭を提供する自動販売機に利用可能である。この場合の商品は、食券又は乗車券のような商品又は役務の提供を受けるための証券を含む。さらに、商品は、情報のような無体物を含む。
【符号の説明】
【０１１７】
１０    情報処理装置
１１    情報処理装置
６０    情報処理装置
１００    制御部
２００    表示部
３００    検出部
４００    操作部
５００    視野角変更部
６００    情報処理部
６１０    ＣＰＵ
６２０    ＲＯＭ
６３０    ＲＡＭ
６４０    内部記憶装置
６５０    ＩＯＣ
６６０    操作機器
６７０    表示機器
６８０    検出器
６８５    視野角変更機器
６９０    ＮＩＣ
７００    記録媒体
【図１】
2017174214.tif 000003
【図２】
2017174214.tif 000004
【図３】
2017174214.tif 000005
【図４】
2017174214.tif 000006
【図５】
2017174214.tif 000007
【図６】
2017174214.tif 000008
【図７】
2017174214.tif 000009